【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】
動画像データを入力する入力手段と、
前記動画像データから特定のフレームの画像データを抽出して抽出画像データを生成する抽出手段と、
前記抽出画像データにトリミング処理及び解像度変換処理のうちの少なくとも一方を施して加工画像データを生成する画像処理手段と、
前記加工画像データに対して複数種類の異なる画質調整処理を施して複数の調整画像データを生成する画質調整手段と、
前記複数の調整画像データにもとづいて複数の静止画像を同一画面上に表示するように表示器を制御する表示制御手段と、
を備えることを特徴とする画像処理装置。
【請求項２】
前記加工画像データを記憶する記憶手段を更に備え、
前記画質調整手段は、前記記憶手段から前記加工画像データを繰り返し読み出す
ことを特徴とする請求項１に記載の画像処理装置。
【請求項３】
動画像データを入力する入力手段と、
前記動画像データを復号化して復号化動画像データを生成する復号化手段と、
前記復号化動画像データにトリミング処理及び解像度変換処理のうちの少なくとも一方を施して加工動画像データを生成する画像処理手段と、
前記加工動画像データに対して複数種類の異なる画質調整処理を施すと共に時間軸方向のフィルタ処理を施して複数の調整動画像データを生成する画質調整手段と、
前記複数の調整動画像データにもとづいて複数の動画像を同一画面上に表示するように表示器を制御する表示制御手段と、
を備えることを特徴とする画像処理装置。
【請求項４】
前記画質調整手段は、複数の画質調整ユニットを備え、
前記複数の画質調整ユニットの数は、画質調整コンポの数と前記同一画面上に表示される動画像の数とに基づいていることを特徴とする請求項３に記載の画像処理装置。
【請求項５】
動画像データを含むテレビジョン信号を受信する受信手段と、
前記動画像データから特定のフレームの画像データを抽出して抽出画像データを生成する抽出手段と、
前記抽出画像データにトリミング処理及び解像度変換処理のうちの少なくとも一方を施して加工画像データを生成する画像処理手段と、
前記加工画像データに対して複数種類の異なる画質調整処理を施して複数の調整画像データを生成する画質調整手段と、
前記複数の調整画像データにもとづいて複数の静止画像を同一画面上に表示するように表示器を制御する表示制御手段と、
前記同一画面上に表示された複数の静止画像から選択された静止画像に対応する画質調整処理を前記動画像データに施して前記表示器に表示するように、前記画質調整手段及び前記表示制御手段をそれぞれ制御する制御手段と、
を備えることを特徴とするテレビジョン受像機。
【請求項６】
動画像データを入力する入力ステップと、
前記動画像データから特定のフレームの画像データを抽出して抽出画像データを生成する抽出ステップと、
前記抽出画像データにトリミング処理及び解像度変換処理のうちの少なくとも一方を施して加工画像データを生成する画像処理ステップと、
前記加工画像データに対して複数種類の異なる画質調整処理を施して複数の調整画像データを生成する画質調整ステップと、
前記複数の調整画像データにもとづいて複数の静止画像を同一画面上に表示するように表示器を制御する表示制御ステップと、
を備えることを特徴とする画像処理方法。
【請求項７】
動画像データを入力する入力ステップと、
前記動画像データを復号化して復号化動画像データを生成する復号化ステップと、
前記復号化動画像データにトリミング処理及び解像度変換処理のうちの少なくとも一方を施して加工動画像データを生成する画像処理ステップと、
前記加工動画像データに対して複数種類の異なる画質調整処理を施すと共に時間軸方向のフィルタ処理を施して複数の調整動画像データを生成する画質調整ステップと、
前記複数の調整動画像データにもとづいて複数の動画像を同一画面上に表示するように表示器を制御する表示制御ステップと、
を備えることを特徴とする画像処理方法。
【手続補正２】
【補正対象書類名】明細書
【補正対象項目名】発明の名称
【補正方法】変更
【補正の内容】
【発明の名称】画像処理装置、テレビジョン受像機、及び、画像処理方法
【手続補正３】
【補正対象書類名】明細書
【補正対象項目名】０００９
【補正方法】変更
【補正の内容】
【０００９】
そこで本発明は、表示画像を所望する画質に容易に調整可能な画像処理装置、テレビジョン受像機、及び、画像処理方法の提供を目的とする。
【手続補正４】
【補正対象書類名】明細書
【補正対象項目名】００１０
【補正方法】変更
【補正の内容】
【００１０】
【課題を解決するための手段】
上記の目的を達成するため、第１の本発明は、動画像データを入力する入力手段と、前記動画像データから特定のフレームの画像データを抽出して抽出画像データを生成する抽出手段と、前記抽出画像データにトリミング処理及び解像度変換処理のうちの少なくとも一方を施して加工画像データを生成する画像処理手段と、前記加工画像データに対して複数種類の異なる画質調整処理を施して複数の調整画像データを生成する画質調整手段と、前記複数の調整画像データにもとづいて複数の静止画像を同一画面上に表示するように表示器を制御する表示制御手段と、を備えることを特徴とする画像処理装置を提供する。
【手続補正５】
【補正対象書類名】明細書
【補正対象項目名】００１１
【補正方法】変更
【補正の内容】
【００１１】
また、第２の本発明は、動画像データを入力する入力手段と、前記動画像データを復号化して復号化動画像データを生成する復号化手段と、前記復号化動画像データにトリミング処理及び解像度変換処理のうちの少なくとも一方を施して加工動画像データを生成する画像処理手段と、前記加工動画像データに対して複数種類の異なる画質調整処理を施すと共に時間軸方向のフィルタ処理を施して複数の調整動画像データを生成する画質調整手段と、前記複数の調整動画像データにもとづいて複数の動画像を同一画面上に表示するように表示器を制御する表示制御手段と、を備えることを特徴とする画像処理装置を提供する。
【手続補正６】
【補正対象書類名】明細書
【補正対象項目名】００１２
【補正方法】変更
【補正の内容】
【００１２】
また、第３の本発明は、動画像データを含むテレビジョン信号を受信する受信手段と、前記動画像データから特定のフレームの画像データを抽出して抽出画像データを生成する抽出手段と、前記抽出画像データにトリミング処理及び解像度変換処理のうちの少なくとも一方を施して加工画像データを生成する画像処理手段と、前記加工画像データに対して複数種類の異なる画質調整処理を施して複数の調整画像データを生成する画質調整手段と、前記複数の調整画像データにもとづいて複数の静止画像を同一画面上に表示するように表示器を制御する表示制御手段と、前記同一画面上に表示された複数の静止画像から選択された静止画像に対応する画質調整処理を前記動画像データに施して前記表示器に表示するように、前記画質調整手段及び前記表示制御手段をそれぞれ制御する制御手段と、を備えることを特徴とするテレビジョン受像機を提供する。
【手続補正７】
【補正対象書類名】明細書
【補正対象項目名】００１３
【補正方法】変更
【補正の内容】
【００１３】
また、第４の本発明は、動画像データを入力する入力ステップと、前記動画像データから特定のフレームの画像データを抽出して抽出画像データを生成する抽出ステップと、前記抽出画像データにトリミング処理及び解像度変換処理のうちの少なくとも一方を施して加工画像データを生成する画像処理ステップと、前記加工画像データに対して複数種類の異なる画質調整処理を施して複数の調整画像データを生成する画質調整ステップと、前記複数の調整画像データにもとづいて複数の静止画像を同一画面上に表示するように表示器を制御する表示制御ステップと、を備えることを特徴とする画像処理方法を提供する。
【手続補正８】
【補正対象書類名】明細書
【補正対象項目名】００１４
【補正方法】変更
【補正の内容】
【００１４】
また、第５の本発明は、動画像データを入力する入力ステップと、前記動画像データを復号化して復号化動画像データを生成する復号化ステップと、前記復号化動画像データにトリミング処理及び解像度変換処理のうちの少なくとも一方を施して加工動画像データを生成する画像処理ステップと、前記加工動画像データに対して複数種類の異なる画質調整処理を施すと共に時間軸方向のフィルタ処理を施して複数の調整動画像データを生成する画質調整ステップと、前記複数の調整動画像データにもとづいて複数の動画像を同一画面上に表示するように表示器を制御する表示制御ステップと、を備えることを特徴とする画像処理方法を提供する。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】０１１６
【補正方法】変更
【補正の内容】
【０１１６】
以上説明したように、本発明によれば、表示画像を所望する画質に容易に調整可能な画像処理装置、テレビジョン受像機、及び、画像処理方法の提供が実現する。